(57)【特許請求の範囲】
【請求項１】
光ファイバの周りに抗張力繊維を有し、前記抗張力繊維の外周に外被を有する光ケーブルの端末部を固定する光ケーブル端末固定具であって、
前記外被が外周に被せられる筒状の外被固定部とその内部に前記光ファイバを挿通するケーブル挿通路を有する本体部と、
前記本体部の側方に前記抗張力繊維が巻き付けられる巻付け部を有する側部と、を備え、
前記側部は、前記本体部に向けて折り返し可能であり、前記外被の一部を前記外被固定部との間に挟みこんで固定する外被圧着部を備えることを特徴とする光ケーブル端末固定具。
【請求項２】
請求項１に記載の光ケーブル端末固定具において、
前記側部は、前記外被圧着部により固定された前記外被の一部と前記外被の他の一部との間に段差部が形成されるように前記外被を前記光ケーブルの中心側に押さえて固定する段差押圧部を備えることを特徴とする光ケーブル端末固定具。
【請求項３】
請求項２に記載の光ケーブル端末固定具において、
前記段差押圧部の先端には、前記側部の折り返し方向に向けて突出する係止爪が形成されていることを特徴とする光ケーブル端末固定具。
【請求項４】
請求項１から３の何れか一項に記載の光ケーブル端末固定具において、
前記外被圧着部には、前記側部の折り返し方向に向けて圧着突起が設けられていることを特徴とする光ケーブル端末固定具。
【請求項５】
請求項１に記載の光ケーブル端末固定具において、
前記側部の外被圧着部は、前記巻付け部に巻き付けられた前記抗張力繊維を前記外被固定部に圧着させる繊維圧着部を兼ねることを特徴とする光ケーブル端末固定具。
【請求項６】
請求項５に記載の光ケーブル端末固定具において、
前記繊維圧着部には、前記側部の折り返し方向に向けて圧着突起が設けられていることを特徴とする光ケーブル端末固定具。
【請求項７】
請求項１から６の何れか一項に記載の光ケーブル端末固定具において、
前記巻付け部が前記本体部を挟んでその両側に設けられていることを特徴とする光ケーブル端末固定具。
【請求項８】
請求項５に記載の光ケーブル端末固定具において、
前記巻付け部が複数の巻付け爪を有しており、前記巻付け爪が前記本体部に向けて折り返し可能であることを特徴とする光ケーブル端末固定具。
【請求項９】
請求項８に記載の光ケーブル端末固定具において、
前記巻付け爪が前記ケーブル挿通路の中心軸に対して対称位置に設けられていることを特徴とする光ケーブル端末固定具。
【請求項１０】
光ファイバの周りに抗張力繊維を有し、前記抗張力繊維の外周に外被を有する光ケーブルの端末固定構造であって、
前記外被が外周に被せられる筒状の外被固定部と前記外被固定部の内部に前記光ファイバを挿通するケーブル挿通路を有する本体部と、前記本体部の側方に前記抗張力繊維が巻き付けられる巻付け部を有する側部と、を備える光ケーブル端末固定具を備え、
前記光ファイバと共に前記ケーブル挿通路に挿通された前記抗張力繊維が前記巻付け部に巻き付けられ、
前記側部が前記本体部に向けて折り返され、
前記側部に設けられた外被圧着部によって、前記外被の一部が前記外被固定部との間に挟みこんで固定されていることを特徴とする光ケーブルの端末固定構造。
【請求項１１】
請求項１０に記載の光ケーブルの端末固定構造において、
前記側部に設けられた段差押圧部によって、前記外被圧着部により固定された前記外被の一部と前記外被の他の一部との間に段差が形成されるように、前記外被が前記光ケーブルの中心側に押されて固定されていることを特徴とする光ケーブルの端末固定構造。
【請求項１２】
請求項１１に記載の光ケーブルの端末固定構造において、
前記外被が複数箇所において圧着されていることを特徴とする光ケーブルの端末固定構造。
【請求項１３】
請求項１０に記載の光ケーブルの端末固定構造において、
前記抗張力繊維は、前記ケーブル挿通路の中心軸に対して対称位置に設けられた複数の巻付け爪に巻き付けられていることを特徴とする光ケーブルの端末固定構造。
【請求項１４】
請求項１０に記載の光ケーブルの端末固定構造において、
前記抗張力繊維は、１本に束ねられ、前記ケーブル挿通路の中心軸に対して対称位置に設けられた複数の巻付け爪に逐一巻き付けられていることを特徴とする光ケーブルの端末固定構造。
【請求項１５】
光ファイバの周りに抗張力繊維を有し、該抗張力繊維の外周に外被を有する光ケーブルと、
前記光ファイバが接続される光電変換部が搭載された回路基板を収容する金属製の筐体と、
前記外被が外周に被せられる筒状の外被固定部と前記外被固定部の内部に前記光ファイバを挿通するケーブル挿通路を有する本体部と、前記本体部の側方に前記抗張力繊維が巻き付けられる巻付け部を有する側部と、を備える光ケーブル端末固定具と、を備え、
前記筐体の一端に前記光ケーブルの端末部が固定される光モジュールであって、
前記光ファイバと共に前記ケーブル挿通路に挿通された前記抗張力繊維が前記巻付け部に巻き付けられ、
前記側部が前記本体部に向けて折り返され、
前記側部に設けられた外被圧着部によって、前記外被の一部が前記外被固定部との間に挟みこんで固定されていることを特徴とする光モジュール。
【請求項１６】
請求項１５に記載の光モジュールにおいて、
前記側部に設けられた段差押圧部によって、前記外被圧着部により固定された前記外被の一部と前記外被の他の一部との間に段差が形成されるように、前記外被が前記光ケーブルの中心側に押されて固定され、さらに、
前記光ケーブルが前記抗張力繊維と前記外被の間に金属層を有し、
前記金属層は前記外被固定部と前記外被の間に介在し、前記金属層は前記側部によって前記外被固定部に圧着されていることを特徴とする光モジュール。
【発明の詳細な説明】
【技術分野】
【０００１】
本発明は、光ケーブル端末固定具、光ケーブルの端末固定構造及び光モジュールに関する。
【背景技術】
【０００２】
従来の光モジュールは、光ケーブルの光ファイバと接続される光電変換部が搭載された回路基板と、回路基板を収容する金属製の筐体を備えている。この光モジュールは、入出力される電気信号を光電変換部により光信号に変換し、光信号による信号伝送を行っている。
【０００３】
この光モジュールに使用される光ケーブルは、単心又は多心の光ファイバ心線の外周を金属管で覆われ、その外周に光ケーブルの引っ張り強度を高める抗張力繊維が縦添えされ、さらにその外周に外被で覆われた金属管型光ケーブルが知られている（例えば、特許文献１参照）。
【０００４】
この光ケーブルの端末固定構造は、光ケーブル端部の外被が除去され、金属管と抗張力繊維が露出される。この露出した金属管および抗張力繊維の外周に円筒状の２個の金属スリーブが嵌め込まれる。そして、光ケーブルの末端側の第１の金属スリーブが加締められてから、抗張力繊維が折り返される。その後、折り返した抗張力繊維の先端が先に嵌め込んだ第２の金属スリーブの内側に挿入され、第２の金属スリーブを加締めることで、抗張力繊維が金属管の外周に固定される。
【先行技術文献】
【特許文献】
【０００５】
【特許文献１】特許第３９８８６５５号公報
【発明の概要】
【発明が解決しようとする課題】
【０００６】
しかしながら、上記光ケーブルの端末固定構造は、複数の金属スリーブを使用しているため、加締める箇所が複数箇所あるため加締め作業が煩雑である。
また、光ケーブルの外被が加締められないため、光ケーブルへの強い引張り力に対して光ケーブルの固定力が不足する可能性がある。
【０００７】
本発明の目的は、光ケーブルの固定力を強くすると共に、加締め作業の簡素化を図ることができる光ケーブル端末固定具、光ケーブルの端末固定構造及び光モジュールを提供することにある。
【課題を解決するための手段】
【０００８】
上記課題を解決することができる本発明に係る光ケーブル端末固定具は、光ファイバの周りに抗張力繊維を有し、前記抗張力繊維の外周に外被を有する光ケーブルの端末部を固定する光ケーブル端末固定具であって、前記外被を固定する外被固定部とその内部に前記光ファイバを挿通するケーブル挿通路を有する筒状の本体部と、前記本体部の側方に前記抗張力繊維が巻き付けられる巻付け部を有する側部と、を備えていることを特徴としている。
【０００９】
また、本発明に係る光ケーブル端末固定具は、前記側部は、前記本体部に向けて折り返し可能であり、前記外被の一部を前記外被固定部との間に挟みこんで固定する外被圧着部と、前記外被圧着部により固定された前記外被の一部と前記外被の他の一部との間に段差部が形成されるように前記外被を前記光ケーブルの中心側に押さえて固定する段差押圧部と、を備えることが好ましい。
【００１０】
また、本発明に係る光ケーブル端末固定具は、前記段差押圧部の先端には、前記側部の折り返し方向に向けて突出する係止爪が形成されていることが好ましい。
【００１１】
また、本発明に係る光ケーブル端末固定具は、前記外被圧着部には、前記側部の折り返し方向に向けて圧着突起が設けられていることが好ましい。
【００１２】
また、本発明に係る光ケーブル端末固定具は、前記側部は、前記本体部に向けて折り返し可能であり、前記巻付け部に巻き付けられた前記抗張力繊維を前記外被固定部に圧着させる繊維圧着部を備えることが好ましい。
【００１３】
また、本発明に係る光ケーブル端末固定具は、前記繊維圧着部には、前記側部の折り返し方向に向けて圧着突起が設けられていることが好ましい。
【００１４】
また、本発明に係る光ケーブル端末固定具は、前記巻付け部が前記本体部を挟んでその両側に設けられていることが好ましい。
【００１５】
また、本発明に係る光ケーブル端末固定具は、前記巻付け部が複数の巻付け爪を有しており、前記巻付け爪が前記本体部に向けて折り返し可能であることが好ましい。
【００１６】
また、本発明に係る光ケーブル端末固定具は、前記巻付け爪が前記ケーブル挿通路の中心軸に対して対称位置に設けられていることが好ましい。
【００１７】
上記課題を解決することができる本発明に係る光ケーブルの端末固定構造は、光ファイバの周りに抗張力繊維を有し、前記抗張力繊維の外周に外被を有する光ケーブルの端末固定構造であって、前記外被を固定する外被固定部と前記外被固定部の内部に前記光ファイバを挿通するケーブル挿通路を有する筒状の本体部と、前記本体部の側方に前記抗張力繊維が巻き付けられる巻付け部を有する側部と、を備える光ケーブル端末固定具を備え、前記光ファイバと共に前記ケーブル挿通路に挿通された前記抗張力繊維が前記巻付け部に巻き付けられていることを特徴としている。
【００１８】
また、本発明に係る光ケーブル端末固定構造は、前記側部は、前記本体部に向けて折り返され、前記側部に設けられた外被圧着部によって、前記外被の一部が前記外被固定部との間に挟みこんで固定され、前記側部に設けられた段差押圧部によって、前記外被圧着部により固定された前記外被の一部と前記外被の他の一部との間に段差が形成されるように、前記外被が前記光ケーブルの中心側に押されて固定されていることが好ましい。
【００１９】
また、本発明に係る光ケーブル端末固定構造は、前記外被が複数箇所において圧着されていることが好ましい。
【００２０】
また、本発明に係る光ケーブル端末固定構造は、前記抗張力繊維は、前記ケーブル挿通路の中心軸に対して対称位置に設けられた複数の巻付け爪に巻き付けられていることが好ましい。
【００２１】
また、本発明に係る光ケーブル端末固定構造は、前記抗張力繊維は、１本に束ねられ、前記ケーブル挿通路の中心軸に対して対称位置に設けられた複数の巻付け爪に逐一巻き付けられていることが好ましい。
【００２２】
上記課題を解決することができる本発明に係る光モジュールは、光ファイバの周りに抗張力繊維を有し、該抗張力繊維の外周に外被を有する光ケーブルと、前記光ファイバが接続される光電変換部が搭載された回路基板を収容する金属製の筐体と、前記外被を固定する外被固定部と前記外被固定部の内部に前記光ファイバを挿通するケーブル挿通路を有する筒状の本体部と、前記本体部の側方に前記抗張力繊維が巻き付けられる巻付け部を有する側部と、を備える光ケーブル端末固定具と、を備え、前記筐体の一端に前記光ケーブルの端末部が固定される光モジュールであって、前記光ファイバと共に前記ケーブル挿通路に挿通された前記抗張力繊維が前記巻付け部に巻き付けられることを特徴としている。
【００２３】
また、本発明に係る光モジュールは、前記側部は、前記本体部に向けて折り返され、前記側部に設けられた外被圧着部によって、前記外被の一部が前記外被固定部との間に挟みこんで固定され、前記側部に設けられた段差押圧部によって、前記外被圧着部により固定された前記外被の一部と前記外被の他の一部との間に段差が形成されるように、前記外被が前記光ケーブルの中心側に押されて固定され、さらに、前記光ケーブルが前記抗張力繊維と前記外被の間に金属層を有し、前記金属層は前記外被固定部と前記外被の間に介在し、前記金属層は前記側部によって前記外被固定部に圧着されていることが好ましい。
【発明の効果】
【００２４】
本発明に係る光ケーブル端末固定具、光ケーブルの端末固定構造および光モジュールによれば、光ケーブル端末固定具が抗張力繊維を巻き付ける巻付け部を有するので、光ケーブルへの引張り力に対して光ケーブルの固定力を強くすることができる。また、光ケーブル端末固定具に巻付け部を有しているので、抗張力繊維を巻き付けた巻付け部を光ケーブル端末固定具自体に加締めるだけで、抗張力繊維と共に光ケーブルを一括して固定することができ、加締め作業の簡素化を図ることができる。
【図面の簡単な説明】
【００２５】
【図１】本発明に係る光モジュールの一実施形態例を示す斜視図である。
【図２】図１の光ケーブルの断面図である。
【図３】図１の光モジュールの筐体内部を示す斜視図である。
【図４】本発明に係る光ケーブル端末固定具の一実施形態例を示す平面図である。
【図５】図４の光ケーブル端末固定具の取り付け状態を示す斜視図である。
【図６】図５の光ケーブル端末固定具の加締め状態を示す斜視図である。
【図７】図６のＡ−Ａ線における断面図である。
【図８】本発明に係る光ケーブル端末固定具の変形例を示す平面図である。
【図９】本発明に係る光ケーブル端末固定具の他の実施形態例を示す図であり、（ａ）は底面図、（ｂ）は側面図、（ｃ）は背面図である。
【図１０】（ａ）は図９に示す光ケーブル端末固定具の斜視図であり、（ｂ）は（ａ）の光ケーブル端末固定具の加締め状態を示す斜視図である。
【図１１】他の実施形態の光ケーブルの断面図である。
【図１２】光モジュールの筐体に連結された図９に示す光ケーブル端末固定具の斜視図である。
【図１３】図１２の光ケーブル端末固定具に図１１に示す光ケーブルを取り付けた場合のＢ−Ｂ線における断面図である。
【発明を実施するための形態】
【００２６】
以下、本発明に係る光ケーブル端末固定具、光ケーブルの端末固定構造および光モジュールの好適な一実施形態を図面に基づいて説明する。
【００２７】
（第１実施形態）
光モジュールは、光通信技術などにおいて信号（データ）の伝送に用いられるものであり、接続先のパソコンなどといった電子機器に電気的に接続され、入出力される電気信号を光信号に変換して光信号を伝送するものである。
【００２８】
図１に示すように、本実施形態の光モジュール１０は、光ケーブル１１の端部にコネクタモジュールが接続されている。このコネクタモジュールは、先端側に設けられる電気コネクタ１２と、回路基板２２を収容した金属製の筐体２０（図３参照）を被う外装ハウジング１３と、を備えている。光ケーブル１１と筐体２０との接続部分はブーツ１９によって被われている。
【００２９】
図２に示すように、光ケーブル１１は、その横断面で見た中央に、光ファイバテープ心線１４ａを有する。光ファイバテープ心線１４ａは、複数（本例では４本）の光ファイバ心線１４を平面上に並列させて被覆樹脂でテープ状に一体化されたものである。光ファイバテープ心線１４ａは、インナーチューブ１５の内側に収容されている。インナーチューブ１５の周囲には抗張力繊維の束である抗張力線１６を沿わせてなる介在層が設けられている。この介在層の外周には複数本の金属素線からなる金属層１７が設けられている。金属層１７の外周には絶縁樹脂からなる外被１８が設けられている。
【００３０】
光ファイバ心線１４は、コアとクラッドが石英ガラスである光ファイバ（ＡＧＦ：All Glass Fiber）、クラッドが硬質プラスチックからなる光ファイバ（ＨＰＣＦ：Hard Plastic Clad Fiber）、等を用いることができる。ガラスのコア径が８０μｍの細径ＨＰＣＦを用いると、光ファイバ心線１４が小径に曲げられても破断しにくい。複数の光ファイバ心線１４をテープ化せず単心のままインナーチューブ１５内に収容することもできるが、テープ化されていると、単心の光ファイバ心線１４同士が交差して側圧がかかることによるマイクロベンドロスの発生を防ぐことができる。なお、光ファイバテープ心線１４ａは複数本設けられていても良い。
【００３１】
インナーチューブ１５は、ノンハロゲン難燃性樹脂である例えばＰＶＣ（Polyvinyl chloride）などの絶縁樹脂からなる。インナーチューブ１５は、例えば、外径が２．０ｍｍ、厚さが０．５５ｍｍである。介在層の抗張力線１６は、例えば極細径のアラミド繊維であり、束状に集合された状態で光ケーブル１１に内蔵されている。介在層は光ケーブル１１における抗張力機能を有する。
【００３２】
金属層１７は、例えば複数本の錫めっき導線を編組したものであり、放熱層としての機能を有する。金属層１７の編組密度は７０％以上、編み角度が４５°〜６０°である。金属層１７を構成する金属素線の外径は、０．０５ｍｍ程度である。金属層１７の熱伝導率は、例えば４００Ｗ／ｍ・Ｋである。金属層１７は、熱伝導を良好に確保するために高密度に配置することが好ましく、一例としては平角線の錫めっき導線で構成されていることが好ましい。外被１８は、例えばポリオレフィンなどの絶縁樹脂から形成されている。外被１８は、例えば、外径が４．２ｍｍ、厚さが０．５ｍｍである。このような構成の光ケーブル１１は、光ファイバ心線１４の側圧特性と、ケーブルとしての柔軟性に優れ、さらに放熱性にも優れている。
【００３３】
図３に示すように、筐体２０は、断面が略矩形形状を呈する筒状の収容部材であり、光ファイバ心線１４が接続される光電変換部２１が搭載された回路基板２２などを収容する収容空間を画成している。また、筐体２０は、前端部に電気コネクタ１２が設けられ、後端部に光ケーブル１１を固定する光ケーブル端末固定具３０が連結されている。筐体２０の材質は、鋼（Ｆｅ系）、ブリキ（錫めっき銅）、ステンレス、銅、真鍮、アルミなどの熱伝導率の高い（好ましくは１００Ｗ／ｍ・Ｋ以上）金属材料により形成されている。
【００３４】
図４に示すように、本実施形態の光ケーブル端末固定具３０は、本体部３１、基部３２および側部３５が一体形成されている。本体部３１は、外被１８を固定する外被固定部３３と、その内部に光ファイバ心線１４を挿通するケーブル挿通路３４を有する円筒形状である（図中、紙面の裏面側に延設されている。図３及び図５も参照。）。基部３２は、本体部３１の前端に配置された平板形状である。即ち、本体部３１は基部３２から後方に突出するように設けられている。
【００３５】
側部３５は、基部３２の両側方に光ケーブル１１の抗張力繊維を複数本に束ねた抗張力線１６が巻き付けられる巻付け部３６を有している。即ち、巻付け部３６が本体部３１を挟んでその両側に設けられている。これにより、光ケーブル１１に加わる引っ張り張力を分散させることができる。なお、側部３５の構成は左右対称であり、その説明は一方側のみで行う。
【００３６】
側部３５は、巻付け部３６と共に圧着機能を有する繊維圧着部３７を兼備している。繊維圧着部３７は、金属層１７および外被１８と共に抗張力線１６を外被固定部３３の外周面に圧着する。即ち、側部３５は、巻付け部３６に巻き付けられる抗張力線１６を外被固定部３３に圧着させる繊維圧着部３７を備えている。この巻付け部３６および繊維圧着部３７は、折り返し部３９を介して基部３２と連結されている。折り返し部３９は、巻付け部３６および繊維圧着部３７を本体部３１側へ略水平に折り返す折り曲げ部分である。なお、繊維圧着部３７には、金属層１７および外被１８と共に抗張力線１６を外被固定部３３の外周面に圧着する強度をより強固にするために、側部３５の折り返し方向に向けて圧着突起４１が設けられていても良い。このような圧着突起４１が、圧着時に外被１８等に食い込む事になるので、外被１８等をより強固に固定できる。このような圧着突起４１は、巻付け部３６の一部を側部３５の折り返し方向に向けて一部折り返して形成しても良い。
【００３７】
巻付け部３６は、複数（本実施形態では、横方向に延設された上下一対）の巻付け爪３８と、巻付け爪３８に隣接して３箇所の巻付け凹部３６ａ，３６ｂ，３６ｃを有している。即ち、巻付け爪３８は、ケーブル挿通路３４の中心軸に対して左右対称の位置に設けられており、本体部３１に向けて折り返し可能である。この巻付け爪３８に、光ケーブル１１から露出されて複数本に束ねられた抗張力線１６が巻き付けられる。これにより、光ケーブル１１に加わる引っ張り張力を一層効率的に分散させることができる。
【００３８】
なお、巻付け部３６の構成は、上記構成に限定されるものではなく、横方向に延設された巻付け爪３８が１枚の矩形状や上下方向に３列以上設けられても良い。また、側部３５の構成は左右対称である必要はなく、左右で巻付け爪３８の構成や数が異なっていても良い。
【００３９】
次に、光ケーブル１１の抗張力線１６の光ケーブル端末固定具３０の巻付け部３６への巻き付け手順の一例を説明する。
図５に示すように、光ケーブル１１の外被１８を剥いで露出した金属層１７が外被１８の外周側に折り返される。次に、光ケーブル１１の光ファイバ心線１４、インナーチューブ１５および抗張力線１６が本体部３１のケーブル挿通路３４に挿通されると共に、金属層１７と外被１８が外被固定部３３の外周に被せられる。そして、ケーブル挿通路３４から挿通された抗張力線１６は、基部３２の表面側から巻付け部３６側に沿って引き出される。
【００４０】
次に、抗張力線１６は、巻付け部３６の表側から巻付け爪３８の間に設けられた第１の巻付け凹部３６ａ内に通され、巻付け部３６の裏側から第２の巻付け凹部３６ｂ内に通され、巻付け部３６の表側から下方の第３の巻付け凹部３６ｃ内に通される。そして、抗張力線１６は、巻付け部３６の裏側から再び第１の巻付け凹部３６ａ内に通され、巻付け部３６の表側から再び第２の巻付け凹部３６ｂ内に通され、巻付け部３６の裏側から再び第３の巻付け凹部３６ｃ内に通される。このように抗張力線１６は、巻付け部３６の複数箇所に分岐した巻付け爪３８の巻付け凹部３６ａ，３６ｂ，３６ｃに複数回巻き付けられることで、ほどけることがなく強固に巻き付けられる。
【００４１】
なお、巻付け部３６は、巻き付け前に外被固定部３３の方向（図中矢印方向）に少し折り曲げて置くことで、手作業による巻き付け作業を一層効率良く行うことができる。また、ここで説明した巻き付け構造は一例であって、その他様々な巻き付け構造が考えられるが、簡単で効率良く巻き付けることができれば、特定の巻き付け構造には限定されない。
【００４２】
また、抗張力線１６は、両方の巻付け部３６に２分岐させた一例を説明したが、これに限定されるものではなく、例えば、１本に束ねられ、ケーブル挿通路３４の中心軸に対して対称位置に設けられた複数の巻付け爪３８に逐一巻き付ける巻き付け構造であっても良い。
【００４３】
次に、抗張力線１６を巻付け部３６へ巻き付けた光ケーブル端末固定具３０の加締め手順の一例を説明する。
図６に示すように、抗張力線１６を巻き付けた繊維圧着部３７は、折り返し部３９から外被固定部３３側に略直角に折り曲げられると共に、外被１８の外周側に折り返された金属層１７の上面に圧着される。これにより、光ケーブル１１が光ケーブル端末固定具３０に保持固定されると共に、金属層１７と外被１８が外被固定部３３と繊維圧着部３７の巻付け爪３８との間に挟持される。なお、折り曲げ作業は、ペンチや専用治具によって手作業で行われる。
【００４４】
そして、図中矢印で示したように、巻付け爪３８が金属層１７側に加締められることで、図７に示すように、巻付け爪３８に巻き付けられた抗張力線１６は、金属層１７と巻付け爪３８との間に挟持される。これにより、抗張力線１６は、外被固定部３３に複数箇所に分岐された状態で強固に圧着されるので、光ケーブル１１に加わる引っ張り張力を分散させることができ、引っ張りに強くなる。なお、巻付け爪３８は、かならずしも金属層１７側に加締める必要はなく、折り返し部３９から折り返しただけでも金属層１７の上面に十分に圧着される。
【００４５】
また、金属層１７は外被固定部３３と外被１８の間に介在し、金属層１７は側部３５によって外被固定部３３に圧着されている。このようにすれば、金属層１７が外被固定部３３と強固に熱的に接続されるから、外被固定部３３と連結する筐体２０から、熱を光ケーブル１１側へ逃がすことができる。そして、金属層１７から外被１８を通して、熱を外部に効率良く放出できる。
【００４６】
なお、光ケーブル１１の金属層１７の端部は、外被１８の外周側に折り返された一例を説明したが、折り返さずに基部３２に半田付けにより接合させることも可能である。これにより、光ケーブル端末固定具３０と金属層１７とは、熱的に接続されている。
【００４７】
さらに、光ケーブル端末固定具３０が筐体２０の後端部に結合されることにより、筐体２０と光ケーブル端末固定具３０とが物理的且つ熱的に接続される。即ち、筐体２０と光ケーブル１１の金属層１７とが熱的に接続され、筐体２０内の熱を光ケーブル１１の金属層１７を介して光ケーブル端末固定具３０からより効率良く放熱させることができる。
【００４８】
ここで、本実施形態の光ケーブル端末固定具の変形例を図８（ａ）〜（ｂ）を参照して説明する。
図８（ａ）に示すように、光ケーブル端末固定具５０の巻付け部５６の構成部分が、上記光ケーブル端末固定具３０の巻付け部３６と異なっている。光ケーブル端末固定具５０の側部５５に設けられた巻付け部５６は、上下方向に延設された一対の巻付け爪５８が横方向に並設されている。巻付け爪５８が上下方向に延設されていることで、金属層１７および外被１８の外周全体を加締めることができる。なお、巻付け部５６の構成は、上下方向に延設された巻付け爪５８が１枚の矩形状や横方向に３列以上並設されても良い。また、側部５５の構成も左右対称である必要はなく、左右で巻付け爪５８の構成や数が異なっていても良い。
【００４９】
図８（ｂ）に示すように、光ケーブル端末固定具６０の巻付け部６６は、上下方向に一対配置されており、巻付け爪６８は横方向に延設された１枚の矩形状である。巻付け爪６８が上下方向に配置されていることで、金属層１７および外被１８の外周全体を上下方向から加締めることができる。
【００５０】
以上説明したように、本実施形態の光ケーブルの端末固定構造は、外被１８を固定する外被固定部３３と外被固定部３３の内部に光ファイバ心線１４を挿通するケーブル挿通路３４を有する筒状の本体部３１と、本体部３１の側方に抗張力線１６が巻き付けられる巻付け部３６，５６，６６を有する側部３５，５５と、を備える光ケーブル端末固定具３０，５０，６０を備えている。そして、光ケーブルの端末固定構造は、光ファイバ心線１４と共にケーブル挿通路３４に挿通された抗張力線１６が巻付け部３６，５６，６６に巻き付けられる。
【００５１】
本実施形態の光モジュール１０は、光ファイバ心線１４の周りに介在層である抗張力線（抗張力繊維）１６を有し、該介在層の外周に外被１８を有する光ケーブル１１と、光ファイバ心線１４が接続される光電変換部２１が搭載された回路基板２２を収容する金属製の筐体２０と、を備えている。加えて、光モジュール１０は、外被１８を固定する外被固定部３３と外被固定部３３の内部に光ファイバ心線１４を挿通するケーブル挿通路３４を有する筒状の本体部３１と、本体部３１の側方に抗張力線（抗張力繊維）１６が巻き付けられる巻付け部３６，５６，６６を有する側部３５，５５と、を備える光ケーブル端末固定具３０，５０，６０を備えている。そして、光モジュール１０は、筐体２０の一端に光ケーブル１１の端末部が固定され、光ファイバ心線１４と共にケーブル挿通路３４に挿通された抗張力線１６が巻付け部３６，５６，６６に巻き付けられる。
【００５２】
このような構成の光モジュール１０によれば、抗張力線１６を巻き付けた巻付け部３６，５６，６６が外被固定部３３に加締められることで、光ケーブル１１を介して光モジュール１０に加わる引っ張り張力を分散させることができ、引っ張りに対して強い光モジュール１０を得ることができる。
【００５３】
また、側部３５，５５が、本体部３１に向けて折り返し可能であり、巻付け部３６，５６，６６に巻き付けられた抗張力線１６を外被固定部３３に圧着させる繊維圧着部３７を備えている。繊維圧着部３７を外被固定部３３に加締めることにより、金属層１７および外被１８と共に抗張力線１６を外被固定部３３の外周面に圧着することができる。
【００５４】
また、繊維圧着部３７には、側部３５の折り返し方向に向けて圧着突起４１が設けられている。このような圧着突起４１が圧着時に外被１８等に食い込む事になるので、外被１８等をより強固に固定できる。
【００５５】
また、側部３５は、巻付け部３６が本体部３１を挟んでその両側に設けられている。これにより、光ケーブル１１に加わる引っ張り張力を分散させることができる。
【００５６】
また、巻付け部３６は、横方向に延設された上下一対の巻付け爪３８を有しており、この巻付け爪３８は本体部３１に向けて折り返し可能である。この構成により、光ケーブル１１に加わる引っ張り張力を一層効率的に分散させることができる。
【００５７】
また、巻付け爪３８は、ケーブル挿通路３４の中心軸に対して左右対称の位置に設けられており、これにより、光ケーブル１１に加わる引っ張り張力を一層効率的に分散させることができる。
【００５８】
また、抗張力繊維を１本に束ねて、ケーブル挿通路３４の中心軸に対して対称位置に設けられた複数の巻付け爪３８に逐一巻き付けることにより、手作業による巻き付け作業を一層効率良く行うことができる。
【００５９】
（第２実施形態）
次に、本発明の第２実施形態について図９〜図１３を参照して説明する。なお、第１実施形態と同一構成の部分には同一符号を付すことで説明は省略する。
図９（ａ）から（ｃ）に示すように、光ケーブル端末固定具７０は、側部７５の構成部分が、上記光ケーブル端末固定具３０の側部３５と異なっている。
側部７５は、基部３２（本体部３１）の両側方に形成された巻付け部７６を有している。巻付け部７６は、左右対称に設けられ、光ケーブル１１Ａ（図１１参照）の抗張力繊維を複数本に束ねた抗張力線１６が巻き付けられる。
【００６０】
側部７５は、折り返し部３９を介して本体部３１に向けて折り返し可能であり、圧着機能と段差形成機能を有している。側部７５は、基部３２に近い側に形成された外被圧着部７７と、遠い側に形成された段差押圧部７４を備えている。
【００６１】
外被圧着部７７は、外被１８の一部を外被固定部３３との間に挟みこんで圧着して固定するものであり、折り返し部３９を介して基部３２と連結されている。外被圧着部７７は、平板形状であり、平板の一部に、側部７５の折り返し方向に向けて圧着突起４１が設けられている。圧着突起４１により、外被固定部３３の外周面に外被１８をより強固に圧着することができる。また、外被圧着部７７は、外被圧着部７７が基部３２と連結する部分との反対側に、段差押圧部７４が形成されている。
【００６２】
段差押圧部７４は、略三角形の平板形状であり、その先端に、側部７５の折り返し方向に向けて突出する係止爪７８が形成されている。係止爪７８は、この形態では左右の側部７５にそれぞれ上下一対、合計４個形成されており、外被１８はこれら複数の係止爪７８によって圧着されている。段差押圧部７４は、外被圧着部７７により固定された外被１８の一部と外被１８の他の一部との間に段差部が形成されるように外被１８を光ケーブル１１Ａの中心側に押さえて圧着して固定する。
【００６３】
巻付け部７６は、複数（本実施形態では、上下方向に延設された上下一対）の段差形成部７４と、段差形成部７４に隣接して形成された３箇所の巻付け凹部３６ａ、３６ｂ、３６ｃによって構成されている。この巻付け部７６に、光ケーブル１１Ａから露出されて複数本に束ねられた抗張力線１６が巻き付けられる。これにより、光ケーブル１１Ａに加わる引っ張り張力を一層効率的に分散させることができる。また、段差押圧部７４の係止爪７８が突出しているので巻き付けた抗張力線１６が巻付け部７６から外れ難く、巻付け部７６に巻き付ける抗張力線１６の巻き数は、一巻きのみで足りる。
【００６４】
また、図１０（ａ）〜（ｂ）に示すように、光ケーブル端末固定具７０は、側部７５を本体部３１に向けて折り返したときに、側部７５の長さ（基部３２から係止爪７８の先端までの長さ）と本体部３１の長さ（基部３２から突出している部分の長さ）とが相違するように形成されている。本体部３１の長さが、側部７５の長さよりも短く形成されており、光ケーブル端末固定具７０を加締めた場合、外被圧着部７７は本体部３１（外被固定部３３）に圧着されるが、段差押圧部７４に対向した位置に本体部３１が形成されていないため、段差押圧部７４を外被圧着部７７より光ケーブル１１Ａの中心側に加締めることができる。
【００６５】
光ケーブル端末固定具７０により固定される光ケーブル１１Ａは、図１１に示すように、光ファイバテープ心線１４ａと、抗張力線（介在層）１６と、光ファイバテープ心線１４ａ及び抗張力線１６を収容する円筒状のインナーチューブ１５と、インナーチューブ１５の周囲に設けられた金属層１７と、金属層１７の外周に設けられた外被１８とを備えている。
【００６６】
光ケーブル１１Ａは、横断面中央に、複数の光ファイバ心線１４を平面上に並列させて被覆樹脂でテープ状に一体化した光ファイバテープ心線１４ａを有する。抗張力線１６は、インナーチューブ１５の内面と光ファイバテープ心線１４ａとの隙間に光ファイバテープ心線１４ａに沿って配置されている。インナーチューブ１５の外径は、光ケーブル１１Ａを細径化するために、例えば４．０ｍｍ以下であることが好ましい。また、外部からの衝撃による破れ防止のため、インナーチューブ１５の厚みは例えば０．３ｍｍ以上であることが好ましい。
【００６７】
なお、第２実施形態の光ケーブル１１Ａは、抗張力線１６が、インナーチューブ１５の内面と光ファイバテープ心線１４ａとの隙間に光ファイバテープ心線１４ａに沿って配置されている点が第１実施形態と異なる。しかしながら、第２実施形態の光ケーブル１１Ａを第１実施形態に用いることは可能であり、また、第１実施形態の光ケーブル１１を第２実施形態に用いることも可能である。すなわち、光ケーブルと光ケーブル端末固定具との組合せは、光ケーブル１１Ａを光ケーブル端末固定具３０，５０，６０に取り付けるようにしてもよいし、光ケーブル１１を光ケーブル端末固定具７０に取り付けるようにしてもよい。
【００６８】
図１２は、光モジュール１０の筐体２０に連結された光ケーブル端末固定具７０を示しており、図１３は、図１２に示す光ケーブル端末固定具７０に光ケーブル１１Ａを取り付けて加締めた場合のＢ−Ｂ線における断面図を示している。
【００６９】
図１３に示されるように、側部７５は、外被圧着部７７が、本体部３１の外被固定部３３との間に外被１８を挟んでいる。段差押圧部７４の対向する位置には外被固定部３３が形成されていないため、加締められたときに、段差押圧部７４が光ケーブル１１Ａの中心側に押されて折れ曲がり、外被圧着部７７によって固定された外被１８部分と段差押圧部７４によって固定された外被１８部分との間に段差部８０が形成される。外被１８は、外被圧着部７７から内側に縮径させる圧着力を受けるとともに、段差押圧部７４および係止爪７８から中心部に押し込まれる圧着力を受けて強く固定される。なお、段差押圧部７４は、かならずしも外被圧着部７７よりも光ケーブル１１Ａの中心側に加締められる必要はない。すなわち、外被圧着部７７を折り返し部３９から折り返しただけでも、段差形成部７４は、その先端に形成された係止爪７８により、外被圧着部７７により固定された外被１８の一部と外被１８の他の一部との間に段差部が形成されるように外被１８を光ケーブル１１Ａの中心側に押さえて圧着して固定することができる。
【００７０】
また、ケーブル挿通路３４に挿通され基部３２の表面側から引き出されて巻付け部７６に巻き付けられた抗張力線１６は、段差押圧部７４によって光ケーブル１１Ａの中心側に押さえられて圧着され外被１８との間に狭持される。
【００７１】
光ケーブル１１Ａの外被１８を剥いで露出した金属層１７が、外被１８の外周側に折り返されるとともに外被固定部３３の外周に被せられる。金属層１７は、外被固定部３３と外被１８の間、および外被１８の外周側に介在し、側部７５の外被圧着部７７によって外被固定部３３の外周面に圧着される。これにより、光ケーブル１１Ａが、光ケーブル端末固定具７０に保持固定され、金属層１７と外被１８が、外被固定部３３の外周面と外被圧着部７７との間に挟持される。
【００７２】
以上説明したように、本実施形態の光ケーブルの端末固定構造は、外被１８を固定する外被固定部３３とその内部に光ファイバ心線１４を挿通するケーブル挿通路３４を有する筒状の本体部３１と、本体部３１の側方に抗張力線１６が巻き付けられる巻付け部７６を有する側部７５と、を備える光ケーブル端末固定具７０を備えている。また、本実施形態の光ケーブルの端末固定構造は、光ケーブル１１Ａを備えている。そして、光ケーブル端末固定具７０の側部７５には段差押圧部７４が形成され、外被圧着部７７によって固定される外被１８の一部と外被１８の他の一部との間に段差部８０が形成されるように、段差押圧部７４が外被１８を光ケーブル１１Ａの中心側に押さえられている。
【００７３】
この構成により、外被１８が外被固定部３３に強く押し付けられて、光ケーブル１１Ａへの引張り力に対して光ケーブル１１Ａの固定力が高まっている。換言すると、外被１８に段差部８０が形成されるため、光ケーブル１１Ａへの引張り力が段差部で引っ掛かり、光ケーブル１１Ａが光ケーブル端末固定具７０から抜けにくくなる。また、第１実施形態と同様に、抗張力線１６を巻き付けた巻付け部７６が外被固定部３３に加締められることで、光ケーブル１１Ａを介して光モジュール１０に加わる引っ張り張力を分散させることができる。
【００７４】
また、光ケーブル端末固定具７０によれば、巻付け部７６に巻き付けられた抗張力線１６は、段差押圧部７４によって光ケーブル１１Ａの中心側に押さえられて圧着され外被１８との間に狭持されているため、光ケーブル１１Ａへの引張り力に対して光ケーブル１１Ａの固定力がさらに高まっている。
【００７５】
また、光ケーブル端末固定具７０によれば、係止爪７８が突出して形成されているため、加締めたときに係止爪７８が外被１８に食い込んで係止し光ケーブル１１Ａの固定力がさらに高まっている。また、係止爪７８が突出しているため巻付け部７６に巻き付けられた抗張力線１６がほどけにくく、加締め工程の前において、巻き付け回数を減らすことができ、作業効率を向上させることができる。また、加締め工程の後においては、抗張力線１６が巻き付けられた巻付け部７６を外被１８に加締めて外被１８に圧着することによって、少ない巻き付け回数であっても、光ケーブル１１Ａを光ケーブル端末固定具７０から抜けにくくすることができる。また、巻き付け回数が減るため、ブーツ１９の小型化を図ることが可能になる。
【００７６】
また、光ケーブル端末固定具７０によれば、側部７５の折り返し方向に向けて圧着突起４１が設けられているため、圧着突起４１が圧着時に外被１８等に食い込む事になるので、外被１８等をより強固に固定できる。
【００７７】
また、光ケーブル端末固定具７０によれば、係止爪７８が４個形成されており、複数の係止爪７８によって外被１８が圧着されているため、外被１８等をより強固に固定できる。
【００７８】
また、本実施形態の光モジュール１０は、光ファイバ心線１４の周りに介在層である抗張力線（抗張力繊維）１６を有し、該介在層の外周に外被１８を有する光ケーブル１１Ａと、光ファイバ心線１４が接続される光電変換部２１が搭載された回路基板２２を収容する金属製の筐体２０と、を備えている。加えて、光モジュール１０は、上述の光ケーブル端末固定具７０を備えている。そして、光モジュール１０は、筐体２０の一端に光ケーブル１１Ａの端末部が固定され、光ファイバ心線１４と共にケーブル挿通路３４に挿通された抗張力線１６が巻付け部７６に巻き付けられる。
【００７９】
このような構成の光モジュール１０によれば、抗張力線１６を巻き付けた巻付け部７６が外被１８に加締められることで、光ケーブル１１Ａへの引張り力に対して光ケーブル１１Ａの固定力が高めることができる。
【００８０】
また、側部７５が、本体部３１に向けて折り返し可能であり、巻付け部７６に巻き付けられた抗張力線１６を外被１８に圧着させる段差押圧部７４を備え、光ケーブル１１Ａが抗張力線１６と外被１８の間に金属層１７を有している。そして、金属層１７が外被固定部３３と外被１８の間に介在し、側部７５によって外被固定部３３に圧着されている。このようにすれば、金属層１７が外被固定部３３と強固に熱的に接続される。また、光ケーブル端末固定具７０は筐体２０に固定されている。従って、筐体２０内の熱を、光ケーブル端末固定具７０を介して、光ケーブル１１Ａ側へ逃がすことができる。そして、金属層１７から外被１８を通して、熱を外部に効率良く放出できる。
【００８１】
また、錫めっき導線を編組した金属層１７と外被１８が、外被固定部３３の外周面と外被圧着部７７との間に挟持されているため、金属層１７は外被１８に食い込み、その摩擦力によって外被１８を光ケーブル端末固定具７０から抜けにくくすることができる。
【００８２】
以上のように、本実施形態の構成によれば、第１実施形態の作用効果に加えて、上述の作用効果が得られる。なお、本発明の光ケーブル端末固定具、光ケーブルの端末固定構造及び光モジュールは、上述した実施形態に限定されるものではなく、適宜、変形、改良等が自在である。
【符号の説明】
【００８３】
１０…光モジュール、１１…光ケーブル、１４…光ファイバ心線、１５…インナーチューブ、１６…抗張力線（抗張力繊維）、１７…金属層、１８…外被、２０…筐体、２１…光電変換部、２２…回路基板、３０，５０，６０，７０…光ケーブル端末固定具、３１…本体部、３２…基部、３３…外被固定部、３４…ケーブル挿通路、３５，５５，７５…側部、３６，５６，６６，７６…巻付け部、３７…繊維圧着部、３８…巻付け爪、３９…折り返し部、４１…圧着突起、７４…段差押圧部、７７…外被圧着部、７８…係止爪、８０…段差部
【図１】
0005737245.tif 000002
【図２】
0005737245.tif 000003
【図３】
0005737245.tif 000004
【図４】
0005737245.tif 000005
【図５】
0005737245.tif 000006
【図６】
0005737245.tif 000007
【図７】
0005737245.tif 000008
【図８】
0005737245.tif 000009
【図９】
0005737245.tif 000010
【図１０】
0005737245.tif 000011
【図１１】
0005737245.tif 000012
【図１２】
0005737245.tif 000013
【図１３】
0005737245.tif 000014